(57)【要約】【課題】本考案は何も手元に用意せず且つ手を汚すことなく、付着した髪の毛やゴミが簡単に除去出来ると共にその後の手入れが容易である掃除具付きヘアブラシを提供することを目的とする。【解決手段】上面11に多数の突起部12が一体成形されたブラシ本体１に切欠長溝２を穿設し、該切欠長溝２から出入可能な回動部材３がブラシ本体１に軸支された構造とする。また前記切欠長溝２をブラシ本体１の側面と平行で且つ柄側から２本穿設し、その先端部に係合凹部21が形成され、回動部材３として、切欠長溝２から出入可能な一対の回動片31と、該回動片31の先端部に設けると共に係合凹部21に係合する係合凸部32と、回動片31の下方に突設すると共に切欠長溝２の幅よりも細い押上部33と、回動片31の後端部を軸支するピン34とから少なくとも成すと良い。【選択図】図１
0003140806.tif 000002
【実用新案登録請求の範囲】
【請求項１】
上面（11）に多数の突起部（12）が一体成形されたブラシ本体（１）に切欠長溝（２）を穿設し、該切欠長溝（２）から出入可能な回動部材（３）が前記ブラシ本体（１）に軸支されたことを特徴とする掃除具付きヘアブラシ。
【請求項２】
前記切欠長溝（２）が前記ブラシ本体（１）の側面と平行で且つ柄側から２本穿設され、その先端部に係合凹部（21）が形成され、前記回動部材（３）が、前記切欠長溝（２）から出入可能な一対の回動片（31）と、該回動片（31）の先端部に設けると共に前記係合凹部（21）に係合する係合凸部（32）と、前記回動片（31）の下方に突設すると共に前記切欠長溝（２）の幅よりも細い押上部（33）と、前記回動片（31）の後端部を軸支するピン（34）とから少なくとも成された請求項１記載の掃除具付きヘアブラシ。
【請求項３】
前記２本の切欠長溝（２）の開口側を連通する取付部（23）が形成され、前記一対の回動片（31）の後端部が連結部（35）で連結されると共に該連結部（35）が前記取付部（23）に配置して軸支された請求項２記載の掃除具付きヘアブラシ。
【請求項４】
前記連結部（35）の両端面に凸部（36）が設けられ、前記連結部（35）が軸支された請求項３記載の掃除具付きヘアブラシ。
【考案の詳細な説明】
【技術分野】
【０００１】
本考案はヘアブラシに関し、特には合成樹脂で突起部（植毛部分）とブラシ本体が一体成形されたヘアブラシに、付着した髪の毛やゴミが簡単に除去される掃除具付きヘアブラシに関する。
【背景技術】
【０００２】
一般にヘアブラシに付着した髪の毛やゴミを除去する場合は、細棒や綿棒などを植毛部分（突起部）やブラシ本体の表面に差し込んで掻き取り、更に植毛部分の上部に溜った髪の毛やゴミを手で除去してヘアブラシの掃除が行われていた。この時、細棒や綿棒などを手元に用意しなければならず、且つ、それらによって簡単に髪の毛やゴミを除去することは難しく、手が汚れて不潔であった。
【０００３】
このため、細棒や綿棒などが手元になくてもヘアブラシに付着した髪の毛やゴミを簡単に除去することが可能なヘアブラシとして、実開平６−１５２号が提案されている。この構造は、植毛と植毛との間にあるブラシの平面及び曲面にミゾをつけ、ブラシ柄の一部に細棒を取付けて、ブラシの内部に空洞を作り、その中へ細棒を格納したものであった。
【０００４】
しかしながら、実開平６−１５２号のヘアブラシを使用する場合は、ブラシ柄を本体側から外し、ブラシ柄に設けた細棒を植毛部分やその間にある面に差し込み、前記面に溜った抜け毛の下にミゾを介して細棒が入れられて掻き取るが、そのまま押上げると植毛部分に当り易く、髪の毛やゴミが細棒からズレ落ちてきれいに除去できないのが現状である。尚、実開平６−１５２号では、本考案品のように１回の操作で髪の毛やゴミをまとめて除去することは不可能である。
【特許文献１】実開平６−１５２号公報
【考案の開示】
【考案が解決しようとする課題】
【０００５】
本考案は何も手元に用意せず且つ手を汚すことなく、付着した髪の毛やゴミが簡単に除去出来ると共にその後の手入れが容易である掃除具付きヘアブラシを提供することを目的とする。
【課題を解決するための手段】
【０００６】
本考案は上記現状に鑑み成されたものであり、つまり、上面に多数の突起部が一体成形されたブラシ本体に切欠長溝を穿設し、該切欠長溝から出入可能な回動部材がブラシ本体に軸支された構造とする。また前記切欠長溝をブラシ本体の側面と平行で且つ柄側から２本穿設し、その先端部に係合凹部が形成され、回動部材として、切欠長溝から出入可能な一対の回動片と、該回動片の先端部に設けると共に係合凹部に係合する係合凸部と、回動片の下方に突設すると共に切欠長溝の幅よりも細い押上部と、回動片の後端部を軸支するピンとから少なくとも成すと良く、２本の切欠長溝の開口側が連通する取付部を形成し、一対の回動片の後端部が連結部で連結されると共に該連結部が取付部に配置して軸支されたものとするのが好ましい。更に連結部の両端面に凸部を設け、それが回動自在に軸支されるものとしても良い。
【考案の効果】
【０００７】
請求項１のように上面（11）に多数の突起部（12）が一体成形されたブラシ本体（１）に切欠長溝（２）を穿設し、該切欠長溝（２）から出入可能な回動部材（３）をブラシ本体（１）に軸支させることにより、何も手元に用意せず且つ手を汚すことなく、付着した髪の毛やゴミが簡単に除去出来ると共にその後の手入れが殆ど不要となる。
【０００８】
請求項２のように切欠長溝（２）をブラシ本体（１）の側面と平行で且つ柄側から２本穿設し、その先端部に係合凹部（21）を形成させ、回動部材（３）として、切欠長溝（２）から出入可能な一対の回動片（31）と、該回動片（31）の先端部に設けると共に係合凹部（21）に係合する係合凸部（32）と、回動片（31）の下方に突設すると共に切欠長溝（２）の幅よりも細い押上部（33）と、回動片（31）の後端部を軸支するピン（34）とから少なくとも成すことにより、簡単な構造の回動部材（３）がブラシ本体（１）に軸支でき、且つ付着した髪の毛やゴミが簡単に除去出来るものとなる。
【０００９】
請求項３に示すように２本の切欠長溝（２）の開口側を連通する取付部（23）が形成され、一対の回動片（31）の後端部が連結部（35）で連結されると共に該連結部（35）が取付部（23）に配置して軸支されることにより、一対の回動片（31）が同時に回動できるものとなるため、操作がより簡単なものとなる。また押上部（33）を一方の回動片（31）に突設するだけで良くなるため、部品点数が減り、組立が簡単になる。
【００１０】
請求項４に示すように連結部（35）の両端面に凸部（36）を設け、連結部（35）が軸支されることにより、回動部材（３）の部品点数が減るため、製作費及び組立費がコストダウンできるものとなる。
【考案を実施するための最良の形態】
【００１１】
図１、図２は本考案の実施形態を示す図であり、これに基づき説明する。(１)は上面（11）に多数の突起部（12）が合成樹脂で一体成形されたブラシ本体であり、該ブラシ本体（１）の上面（11）は平面或いは曲面である。また前記突起部（12）は柱状，円錐状，先端に球状を設けたものとしても良い。（２）はブラシ本体（１）の側面と平行で且つ柄側から２本穿設された切欠長溝であり、該切欠長溝（２）は突起部（12）が配列する列間に穿設されると共に切欠長溝（２）の先端面部に係合凹部（21）が形成されている。また前記切欠長溝（２）の開口側（後端側）のブラシ本体（１）には、後述するピン（34）を挿入させる挿入穴（22）が穿設されている。尚、前記切欠長溝（２）は２本に限定されるものではない。
【００１２】
（３）は切欠長溝（２）から出入可能であり且つブラシ本体（１）に軸支された回動部材であり、該回動部材（３）は、切欠長溝（２）から出入可能な一対の回動片（31）と、該回動片（31）の先端部に設けると共に係合凹部（21）に係合する係合凸部（32）と、回動片（31）の下方に突設すると共に切欠長溝（２）の幅よりも細い押上部（33）と、各回動片（31）の後端部を軸支するピン（34）とから少なくとも成されている。前記回動片（31）の上面はブラシ本体（１）の上面（11）と面一になる形状、つまり平面或いは曲面に形成されている。また前記回動片（31）の後端側には、前記ピン（34）を嵌入させる嵌入穴（31a）が穿設されている。
【００１３】
図３は本実施形態の回動部材（３）が切欠長溝（２）に取付けられる部品構成を示す図であり、これについて説明する。（ａ）は回動片（31）が各切欠長溝（２）に挿入され、ピン（34）を軸として回動可能に軸支されるものである。（ｂ）は２本の切欠長溝（２）の開口側を連通させる取付部（23）が設けられ、且つ、各回動片（31）の後端部が連結部（35）で連結されると共に該連結部（35）が取付部（23）に配置してピン（34）で軸支されるものである。又、（ｃ）は連結部（35）の両端面に凸部（36）を設けて軸支するものである。尚、前記凸部（36）が挿入穴（22）に挿入される際、挿入穴（22）の代りに凹部を形成させたものとしても良い。
【００１４】
次に本考案品の組立方法について説明する。予め上面（11）に多数の突起部（12）が一体成形されたブラシ本体（１）に切欠長溝（２）が穿設されたものを用意すると共に、一対の回動片（31）とピン（34）を用意しておく（図２参照）。先ず始めに、回動片（31）を切欠長溝（２）に挿入すると共にその先端の係合凸部（32）を係合凹部（21）に係合させる。次にピン（34）を挿入穴（22）と嵌入穴（31a）に通してブラシ本体（１）が軸支され、各回動片（31）の回動状態と係合状態をチェックすれば、本考案品は完成である。尚、前記各回動片（31）は、図３（ａ）に於いては別々に回動可能であるが、図３（ｂ）や（ｃ）に示す如く一対の回動片（31）は同時に回動するように軸支されている。この（ｂ）や（ｃ）の時には、前記押上部（33）は一方の回動片（31）だけに突設させたものとしても良い。
【００１５】
次に本考案品の使用方法について説明する。予め各回動片（31）を切欠長溝（２）に収納した状態にしておく（図１参照）。先ず始め本考案品を用いて整髪すると、ブラシ本体（１）の突起部（12）に抜け毛が絡まって付着し、徐々に突起部（12）の根元近くまで髪の毛やゴミが付着すると共にブラシ本体（１）の上面（11）にも髪の毛やゴミが付着する。この状態は、従来のヘアブラシを使用する場合と同様である。その後、突起部（12）や上面（11）に髪の毛やゴミが付着して溜った場合には、その髪の毛やゴミをきれいに除去して掃除すれば良い。この除去して掃除する場合について説明する。先ず、押上部（33）を手で少し強めに押上げると、各回動片（31）の先端の係合凸部（32）が係合凹部（21）から外れて持上げられる。すると、図１の２点鎖線のように回動片（31）が押上げられる。この時、回動片（31）によって、上面（11）や突起部（12）の根元近くに付着した髪の毛やゴミが一気に押上げられる。そして手を押上部（33）側から回動片（31）側に持ち変えて更に図中の白抜き矢印のように回転すれば、髪の毛やゴミは突起部（12）から完全に離れ、回動片（31）の上面に乗った髪の毛やゴミをゴミ箱などに直接入れることにより、ブラシ本体（１）に付着した髪の毛やゴミが除去されてきれいに掃除されるのである。尚、この時、髪の毛やゴミを紙などで包み、その紙をゴミ箱などに入れて処理しても良い。処理後、更に回動片（31）を回転させて１周することにより、元の位置に戻ると共に係合凸部（32）を係合凹部（21）に係合させ、次に使用する時を待てば良い。
【００１６】
このように押上部（33）を押上げて回動片（31）が回動され、押上部（33）がブラシ本体（１）から離れることにより、ブラシ本体（１）に付着していた髪の毛やゴミが手に触れずに簡単に除去され、短時間で且つ衛生的にブラシ本体（１）が掃除されるものとなり、いつでもきれいな状態のブラシ本体（１）が使用できるものとなるのである。
【産業上の利用可能性】
【００１７】
本考案は上面に多数の植毛部が配列されたヘアブラシに対して、切欠長溝（２）や回動部材（３）を設けて同様の機能を持たすことも可能である。
【図面の簡単な説明】
【００１８】
【図１】本考案の要部断面を示す説明図である。
【図２】本実施形態の分解部品を示す斜視図である。
【図３】本実施形態の回動片が軸支される状態を示す説明図である。
【符号の説明】
【００１９】
１  ブラシ本体
11  上面
12  突起部
２  切欠長溝
21  係合凹部
22  挿入穴
23  取付部
３  回動部材
31  回動片
32  係合凸部
33  押上部
34  ピン
35  連結部
36  凸部
【図１】
0003140806.tif 000003
【図２】
0003140806.tif 000004
【図３】
0003140806.tif 000005